(57)【要約】【課題】携帯電話装置等の利用者と充電サービスの提供者の双方に利点があり、かつ無料で携帯電話装置等のバッテリを充電させることを可能にするバッテリの充電システムおよび充電方法の提供。【解決手段】バッテリに充電する充電装置２と、サービス提供者が提供するサービス情報へアクセスするためのコードを入力するコード入力手段１０と、コード入力手段１０により入力されたコードに基づいてサービス提供者が提供するサービス情報へアクセスするアクセス手段１１とを有し、充電装置２は、コード入力手段１０によりコードが入力され、アクセス手段１１によりサービス提供者が提供するサービス情報へアクセスされたことを確認した後、バッテリへの充電を開始する充電制御手段２０を備える。【選択図】図１
2007114968.tif 000002
【特許請求の範囲】
【請求項１】
バッテリに充電する充電装置と、
サービス提供者が提供するサービス情報へアクセスするためのコードを入力するコード入力手段と、
同コード入力手段により入力されたコードに基づいて前記サービス提供者が提供するサービス情報へアクセスするアクセス手段とを有し、
前記充電装置は、前記コード入力手段により前記コードが入力され、前記アクセス手段によりサービス提供者が提供するサービス情報へアクセスされたことを確認した後、前記バッテリへの充電を開始する充電制御手段を備えるものである
バッテリの充電システム。
【請求項２】
前記コード入力手段およびアクセス手段が、前記バッテリにより駆動されるユーザ端末に備えられたことを特徴とする請求項１記載のバッテリの充電システム。
【請求項３】
前記コード入力手段により前記コードが入力され、前記アクセス手段によりサービス提供者が提供するサービス情報へアクセスされると、前記充電装置により充電を開始するためのパスワードを前記ユーザ端末へ発行するパスワード発行手段を備えるサーバを有し、
前記充電装置は、前記パスワードを入力するパスワード入力手段を備え、
前記充電制御手段は、前記パスワード入力手段により入力されたパスワードと、前記サーバにより発行されたパスワードとを比較して認証することにより、前記コード入力手段により前記コードが入力され、前記アクセス手段によりサービス提供者が提供するサービス情報へアクセスされたことを確認するものである
ことを特徴とする請求項２記載のバッテリの充電システム。
【請求項４】
前記ユーザ端末は、前記サービス提供者が提供するサービス情報へアクセスするためのコードを要求するために前記サーバへ電子メールを送信するための電子メールアドレスが符号化された二次元コードを読み取る手段と、前記電子メールアドレスに対して電子メールを送信する手段とを備えるものであり、
前記サーバは、前記ユーザ端末から送信された電子メールに対して前記サービス提供者が提供するサービス情報へアクセスするためのコードを返信する手段を備えるものである
請求項３記載のバッテリの充電システム。
【請求項５】
前記コードは、前記サービス提供者が提供するウェブ上のサービス情報へアクセスするためのＵＲＬを含むものである請求項２から４のいずれかに記載のバッテリの充電システム。
【請求項６】
前記コードは、前記ＵＲＬを符号化した二次元コードであり、
前記コード入力手段は、前記二次元コードを読み取る手段である
請求項２から５のいずれかに記載のバッテリの充電システム。
【請求項７】
前記ユーザ端末が、携帯電話装置である請求項２から６のいずれかに記載のバッテリの充電システム。
【請求項８】
前記コード入力手段およびアクセス手段が、前記充電装置に備えられたことを特徴とする請求項１記載のバッテリの充電システム。
【請求項９】
充電装置によりバッテリに充電する充電方法であって、
サービス提供者が提供するサービス情報へアクセスするためのコードが入力され、前記入力されたコードに基づいて前記サービス提供者が提供するサービス情報へアクセスされたことを確認した後、前記バッテリへの充電を開始する
ことを特徴とするバッテリの充電方法。
【発明の詳細な説明】
【技術分野】
【０００１】
本発明は、携帯電話装置等のバッテリの充電を街角で行わせるバッテリの充電システムおよび充電方法に関する。
【背景技術】
【０００２】
携帯電話装置は一般にバッテリ（蓄電池）により駆動されるが、近年の携帯電話装置の高機能化に伴い、利用機会が増えたため、しばしば外出中にバッテリ切れとなることがある。そこで、街角でも携帯電話装置の充電が可能なように、携帯電話装置の販売店等において携帯電話装置の充電サービスが提供されている。なお、有料で携帯電話装置の充電を行うシステムとして、例えば、特許文献１，２に記載のものが知られている。
【０００３】
【特許文献１】特開２００５−２５９１２９号公報
【特許文献２】特開２００３−１４１６３０号公報
【発明の開示】
【発明が解決しようとする課題】
【０００４】
特許文献１，２に記載の充電システムでは、現金払いやクレジットカード払い等により決済をして携帯電話装置を充電することが可能であるが、このようなシステムでは携帯電話装置の利用者の利便性を高めるだけで、サービス提供者にとってのメリットはあまりない。
【０００５】
また、携帯電話装置を頻繁に利用する利用者の場合、１日に何度も充電しなければならないケースもあり、その充電の都度、料金を払って携帯電話装置を充電することになる。通常、１回の充電当たりの料金は１００円程度であるが、家庭内等で自分で携帯電話装置に充電する場合の電気料金に比べて割高となるため、利用者としては気軽に利用しにくい。
【０００６】
そこで、本発明においては、携帯電話装置等の利用者と充電サービスの提供者の双方に利点があり、かつ無料で携帯電話装置等のバッテリを充電させることを可能にするバッテリの充電システムおよび充電方法を提供することを目的とする。
【課題を解決するための手段】
【０００７】
本発明のバッテリの充電システムは、バッテリに充電する充電装置と、サービス提供者が提供するサービス情報へアクセスするためのコードを入力するコード入力手段と、コード入力手段により入力されたコードに基づいてサービス提供者が提供するサービス情報へアクセスするアクセス手段とを有し、充電装置は、コード入力手段によりコードが入力され、アクセス手段によりサービス提供者が提供するサービス情報へアクセスされたことを確認した後、バッテリへの充電を開始する充電制御手段を備えるものである。なお、コード入力手段およびアクセス手段は、バッテリにより駆動されるユーザ端末が備えるか、あるいは充電装置が備える構成とすることができる。また、バッテリにより駆動されるユーザ端末としては、例えば、携帯電話装置、携帯型パーソナルコンピュータ、携帯型音楽再生装置、携帯型映像再生装置や電気自動車等が利用可能である。
【０００８】
本発明のバッテリの充電システムによれば、充電システムのサービス利用者が、サービス提供者が提供するサービスへアクセスするためのコードを入手し、コード入力手段により入力すると、この入力されたコードに基づいてアクセス手段によりサービス提供者が提供するサービス情報へアクセスすることができる。そして、このアクセス手段によりサービス提供者が提供するサービス情報へアクセスされたことを確認後、バッテリへの充電が開始される。
【０００９】
また、本発明のバッテリの充電方法は、充電装置によりバッテリに充電する充電方法であって、サービス提供者が提供するサービス情報へアクセスするためのコードが入力され、入力されたコードに基づいてサービス提供者が提供するサービス情報へアクセスされたことを確認した後、バッテリへの充電を開始することを特徴とする。
【００１０】
また、本発明のバッテリの充電システムは、コード入力手段によりコードが入力され、アクセス手段によりサービス提供者が提供するサービス情報へアクセスされると、充電装置により充電を開始するためのパスワードをユーザ端末へ発行するパスワード発行手段を備えるサーバを有し、充電装置は、パスワードを入力するパスワード入力手段を備え、充電制御手段は、パスワード入力手段により入力されたパスワードと、サーバにより発行されたパスワードとを比較して認証することにより、コード入力手段によりコードが入力され、アクセス手段によりサービス提供者が提供するサービス情報へアクセスされたことを確認するものとして構成することができる。
【００１１】
このバッテリの充電システムによれば、コード入力手段によりコードが入力され、アクセス手段によりサービス提供者が提供するサービス情報へアクセスされると、充電装置により充電を開始するためのパスワードがサーバによりユーザ端末へ発行される。そして、このパスワードが、充電装置に入力されると、この入力されたパスワードと、サーバにより発行されたパスワードとが比較されて認証されることにより、サービス提供者が提供するサービス情報へアクセスされたことが確認され、バッテリへの充電が開始される。
【００１２】
また、本発明のバッテリの充電システムは、ユーザ端末が、サービス提供者が提供するサービス情報へアクセスするためのコードを要求するためにサーバへ電子メールを送信するための電子メールアドレスが符号化された二次元コードを読み取る手段と、電子メールアドレスに対して電子メールを送信する手段とを備えるものであり、サーバが、ユーザ端末から送信された電子メールに対してサービス提供者が提供するサービス情報へアクセスするためのコードを返信する手段を備えるものとして構成することができる。
【００１３】
このバッテリの充電システムによれば、充電システムのサービス利用者が、サービス提供者が提供するサービス情報へアクセスするためのコードを要求するためにサーバへ送信する電子メールアドレスが符号化された二次元コードを入手し、この二次元コードをユーザ端末に読み取り、この得られた電子メールアドレスに対して電子メールを送信することができる。そして、このユーザ端末から送信された電子メールに対してサーバからサービス提供者が提供するサービス情報へアクセスするためのコードが返信されるので、サービス提供者はこの返信されたコードに基づいて前述のようにアクセス手段によりサービス提供者が提供するサービス情報へアクセスすることができるとともに、このアクセス手段によりサービス提供者が提供するサービス情報へアクセスされたことを確認後、バッテリへの充電が開始される。
【００１４】
なお、サービス提供者が提供するサービス情報へアクセスするためのコードは、例えば、サービス提供者が提供するウェブ上のサービス情報へアクセスするためのＵＲＬ（Uniform Resource Locator：ユニフォーム・リソース・ロケータ）を含むものとして構成できる。これにより、サービス利用者は、このコードに含まれるＵＲＬに基づいてウェブブラウザによりサービス提供者が提供するサービス情報へアクセスすることができる。
【００１５】
また、このコードが、ＵＲＬを符号化した二次元コードであり、コード入力手段が、二次元コードを読み取る手段である構成とすれば、この二次元コードを読み取るだけで、この二次元コードからＵＲＬが復号化され、このＵＲＬに基づいてウェブブラウザによりサービス提供者が提供するサービス情報へアクセスすることができる。
【発明の効果】
【００１６】
（１）サービス提供者が提供するサービス情報へアクセスするためのコードが入力され、入力されたコードに基づいてサービス提供者が提供するサービス情報へアクセスされたことを確認した後、バッテリへの充電を開始する構成により、サービス提供者はサービス利用者に対してサービス情報を提供することができるという利点があるとともに、サービス利用者はバッテリを充電することができるという利点がある。したがって、サービス提供者はサービス情報をサービス利用者に対して提供できる代償として、サービス利用者に代わりバッテリの充電に掛かる費用を負担することが可能であるため、無料で携帯電話装置等のバッテリを充電させることも可能となる。
【００１７】
（２）コード入力手段によりコードが入力され、アクセス手段によりサービス提供者が提供するサービス情報へアクセスされると、充電装置により充電を開始するためのパスワードをユーザ端末へ発行するパスワード発行手段を備えるサーバを有し、充電装置は、パスワードを入力するパスワード入力手段を備え、充電制御手段は、パスワード入力手段により入力されたパスワードと、サーバにより発行されたパスワードとを比較して認証することにより、コード入力手段によりコードが入力され、アクセス手段によりサービス提供者が提供するサービス情報へアクセスされたことを確認する構成により、サービス情報にアクセスしない限りパスワードは発行されず、サービス情報にアクセスした場合にのみパスワードが発行され、この発行されたパスワードによって認証が行われるので、サービス情報へアクセスしたサービス利用者のみにバッテリを充電させることを保証することが可能となる。
【００１８】
（３）ユーザ端末が、サービス提供者が提供するサービス情報へアクセスするためのコードを要求するためにサーバへ送信する電子メールアドレスが符号化された二次元コードを読み取る手段と、電子メールアドレスに対して電子メールを送信する手段とを備えるものであり、サーバが、ユーザ端末から送信された電子メールに対してサービス提供者が提供するサービス情報へアクセスするためのコードを返信する手段を備える構成により、サービス提供者が提供するサービス情報へアクセスするためのコードを要求するためにサーバへ送信する電子メールアドレスが符号化された二次元コードがユーザ端末に読み取られ、この読み取られた電子メールアドレスに対して電子メールが送信され、このユーザ端末から送信された電子メールに対してサーバからサービス提供者が提供するサービス情報へアクセスするためのコードが返信されるので、サービス利用者はこの返信されたコードに基づいて前述のようにアクセス手段によりサービス提供者が提供するサービス情報へアクセスすることができるとともに、このアクセス手段によりサービス提供者が提供するサービス情報へアクセスされたことを確認後、バッテリへの充電が開始される。
【００１９】
（４）サービス提供者が提供するサービス情報へアクセスするためのコードが、サービス提供者が提供するウェブ上のサービス情報へアクセスするためのＵＲＬを含むものであることにより、サービス利用者は、このコードに含まれるＵＲＬに基づいてウェブブラウザによりサービス提供者が提供するサービス情報へアクセスすることができるので、サービス提供者は、提供するサービス情報を、このウェブブラウザにより表示可能なリッチコンテンツとすることができる。
【００２０】
（５）コードが、ＵＲＬを符号化した二次元コードであり、コード入力手段が、二次元コードを読み取る手段である構成により、この二次元コードを読み取るだけで、この二次元コードからＵＲＬが復号化され、このＵＲＬに基づいてウェブブラウザによりサービス提供者が提供するサービス情報へアクセスすることができるので、サービス利用者がＵＲＬを入力する必要がなくなる。
【発明を実施するための最良の形態】
【００２１】
図１は本発明の実施の形態におけるバッテリの充電システムのブロック図である。
図１において、本発明の実施の形態におけるバッテリの充電システムは、バッテリにより駆動されるユーザ端末としてのサービス利用者の携帯電話装置１のバッテリに充電する充電装置２と、充電装置２による充電サービスを管理する管理サーバ３と、サービス提供者が提供するサービス情報をウェブコンテンツとして提供するウェブサーバ４とから構成される。
【００２２】
携帯電話装置１は、公知の携帯電話装置であり、ＱＲコード（登録商標）等の二次元コード５を読み取ることにより二次元コードに符号化された情報を入力可能なコード入力手段１０と、電気通信回線としてのインターネットを介してウェブサーバ４にアクセスし、各種情報をウェブブラウザにより表示するためのアクセス手段１１とを備える。なお、コード入力手段１０は、情報を直接入力可能なキーボード（ボタン）や、情報を読み取って文字に変換することにより入力可能なＯＣＲ（光学文字読取装置）として構成することもできる。
【００２３】
ここで、二次元コード５は、サービス提供者が提供するサービス情報へアクセスするためのコードであり、本実施形態においてはウェブサーバ４にアクセスするためのＵＲＬを含むものである。アクセス手段１１は、コード入力手段１０により入力されたこの二次元コード５に含まれるＵＲＬに基づいてウェブサーバ４にアクセスする。
【００２４】
ウェブサーバ４は、サービス提供者が提供するサービス情報をウェブコンテンツとして提供するサービス情報提供手段４０を備える。サービス情報提供手段４０は、コード入力手段１０により入力された二次元コード５に基づき、アクセス手段１１によりアクセスした携帯電話装置１に対して、ウェブコンテンツを提供する。また、ウェブサーバ４は、管理サーバ３に対して、二次元コード５に基づいてアクセスした携帯電話装置１について、充電装置２により充電を開始するためのパスワードの発行を要求し、この管理サーバ３により発行されたパスワードをウェブコンテンツに含めて携帯電話装置１へ提供する。
【００２５】
管理サーバ３は、ウェブサーバ４からのパスワードの発行要求に対して、二次元コード５に基づいてアクセスした携帯電話装置１についてのパスワードを発行するとともに、この発行したパスワードを管理する。なお、パスワードは、同じパスワードを繰り返し使用することができないように、発行要求の都度異なるものを発行することが望ましいが、これに限定するものではない。また、本実施形態においては、管理サーバ３とウェブサーバ４を別々の構成としているが、これらを一つのサーバとして構成することも可能である。
【００２６】
充電装置２は、バッテリへの充電を制御する充電制御手段２０と、充電制御手段２０により認証するためのパスワードを入力するパスワード入力手段２１とを備える。充電制御手段２０は、サービス利用者の携帯電話装置１のコード入力手段１０により二次元コードが入力され、アクセス手段１１によりサービス提供者が提供するサービス情報へアクセスされたことを確認した後、バッテリへの充電を開始するものである。
【００２７】
充電制御手段２０は、このサービス利用者の携帯電話装置１のコード入力手段１０により二次元コードが入力され、アクセス手段１１によりサービス提供者が提供するサービス情報へアクセスされたことを確認するため、パスワード入力手段２１により入力されたパスワードと、管理サーバ３により発行されたパスワードとを比較して認証する。なお、このパスワードの認証は、予め管理サーバ３が発行したパスワードを充電装置２に通知しておき、充電装置２側で行う構成、あるいはパスワード入力手段２１により入力されたパスワードを管理サーバ３に通知して、管理サーバ３側で行う構成のいずれでも良い。
【００２８】
パスワード入力手段２１は、例えば、パスワードを直接入力可能なキーボード（ボタン）、携帯電話装置１のディスプレイ上に表示されたパスワードを読み取って文字に変換することにより入力可能なＯＣＲや、パスワードが符号化された二次元コードを読み取って復号化することにより入力可能な二次元コード読取装置等である。
【００２９】
次に、上記構成のバッテリの充電システムによる充電手順について説明する。
まず、二次元コード５は、飲食店や物販店等の店舗のメニュー、レシート、マグカップやトレイ等の人目に付くものに付しておく。この二次元コード５は、この店舗自身やその他のスポンサが提供するウェブコンテンツへのＵＲＬを含むものである。そして、店舗内には、充電装置２を配置しておく。
【００３０】
この店舗の利用者は、携帯電話装置１のバッテリを充電したい場合、二次元コード５を携帯電話装置１のコード入力手段１０により入力し、アクセス手段１１によりウェブサーバ４へアクセスする。ウェブサーバ４は、この携帯電話装置１からのアクセスに対して管理サーバ３へパスワードの発行要求を行う。管理サーバ３は、この要求に対してパスワード発行手段３０によりパスワードを発行する。ウェブサーバ４は、この発行されたパスワードを含むウェブコンテンツをサービス情報提供手段４０により携帯電話装置１へ提供する。
【００３１】
携帯電話装置１の利用者は、携帯電話装置１のディスプレイ上へ表示されたパスワードを充電装置２のパスワード入力手段２１により入力する。充電装置２の充電制御手段２０は、このパスワード入力手段２１により入力されたパスワードと、管理サーバ３により発行されたパスワードとを比較して認証することにより、携帯電話装置１によりサービス提供者が提供するサービス情報へアクセスされたことが確認できると、バッテリへの充電を開始する。
【００３２】
以上のように、本実施形態におけるバッテリの充電システムでは、サービス提供者はサービス利用者に対してサービス情報提供手段４０によりサービス情報を提供することができるという利点があるとともに、サービス利用者は充電装置２によりバッテリを充電することができるという利点がある。したがって、サービス提供者はサービス情報をサービス利用者に対して提供できる代償として、サービス利用者に代わりバッテリの充電に掛かる費用を負担することが可能であるため、無料で携帯電話装置等のバッテリを充電させることも可能である。
【００３３】
また、本実施形態においては、パスワードによる認証を行うことにより、コード入力手段１０によりコードが入力され、アクセス手段１１によりサービス提供者が提供するサービス情報へアクセスされたことを確認するので、サービス情報にアクセスしない限りパスワードは発行されず、サービス情報にアクセスした場合にのみパスワードが発行される。すなわち、この発行されたパスワードによって認証が行われるので、サービス情報へアクセスしたサービス利用者のみにバッテリを充電させることを保証することが可能である。
【００３４】
なお、パスワードを発行要求の都度異なるものを発行するために、二次元コード５とともに、シリアル番号をレシート等の発行の都度、発行する構成とし、このシリアル番号を携帯電話装置１のコード入力手段１０により入力させる構成とすることもできる。これにより、アクセス手段１１によりウェブサーバ４へアクセスした際、このシリアル番号を伴うことで、パスワード発行手段３０によるパスワード発行の際、このシリアル番号に基づいて異なるパスワードを発行することが可能となる。
【００３５】
また、本実施形態においては、サービス提供者が提供するサービス情報へアクセスするためのコードが、サービス提供者が提供するウェブコンテンツ上のサービス情報へアクセスするためのＵＲＬを含むものであることにより、サービス利用者は、このコードに含まれるＵＲＬに基づいてウェブブラウザによりサービス提供者が提供するサービス情報へアクセスすることができるので、サービス提供者は、提供するサービス情報を、このウェブブラウザにより表示可能なリッチコンテンツとすることができる。
【００３６】
また、本実施形態においては、ウェブサーバ４へアクセスするためのコードが、ＵＲＬを符号化した二次元コード５であり、この二次元コード５を携帯電話装置１に備えるコード入力手段１０により読み取る構成であるため、サービス利用者はこの二次元コードを読み取るだけで、この二次元コードからＵＲＬが復号化され、このＵＲＬに基づいてウェブブラウザによりサービス提供者が提供するサービス情報へアクセスすることができるので、ＵＲＬを入力する必要がない。
【００３７】
図２は本発明の実施の形態におけるバッテリの充電システムの変形例を示すブロック図である。なお、図２において、図１と共通する構成要素については同一の符号を付している。
【００３８】
図２に示すバッテリの充電システムでは、二次元コード６がウェブサーバ４へアクセスするためのコードを要求するために管理サーバ３へ電子メールを送信するための電子メールアドレスが符号化されたものである。また、携帯電話装置７は、図１の携帯電話装置１が備えたコード入力手段１０およびアクセス手段１１に加えて、コード入力手段１０によりこの二次元コード６から読み取った電子メールアドレス宛に電子メールを送信するメール送信手段１２を備える。
【００３９】
また、管理サーバ８は、図１の管理サーバ３が備えたパスワード発行手段３０に加えて、携帯電話装置７から送信された電子メールに対してウェブサーバ４へアクセスするためのコードを返信するメール返信手段３１を備える。なお、このメール返信手段３１により返信するコードは、例えば、ウェブサーバ４へアクセスするためのＵＲＬやＩＤ等である。
【００４０】
図２のバッテリ充電システムでは、図１と同様に、飲食店や物販店等の店舗のメニュー、レシート、マグカップやトレイ等の人目に付くものに付された二次元コード６を携帯電話装置７のコード入力手段１０により入力することで、この二次元コード６に含まれた電子メールアドレスに対してメール送信手段１２により電子メールが送信される。管理サーバ８は、この電子メールを受信すると、この電子メールの送信元に対してメール返信手段３１によりウェブサーバ４へアクセスするための前述のコードを送信する。
【００４１】
携帯電話装置７は、この管理サーバ８から送信された電子メールを受信し、この電子メールに含まれるコードに基づいて、アクセス手段１１によりウェブサーバ４へアクセスする。すなわち、元を辿れば、コード入力手段１０により入力された二次元コード６に基づいてウェブサーバ４へアクセスすることができる。その後の処理については、前述と同様である。
【００４２】
なお、図１および図２においては、コード入力手段１０およびアクセス手段１１を携帯電話装置１に備えた構成について説明したが、これらの手段は充電装置２に備える構成とすることも可能である。
【産業上の利用可能性】
【００４３】
本発明は、バッテリにより駆動される携帯電話装置、携帯型パーソナルコンピュータ、携帯型音楽再生装置、携帯型映像再生装置や電気自動車等を充電するシステムおよび方法として有用である。
【図面の簡単な説明】
【００４４】
【図１】本発明の実施の形態におけるバッテリの充電システムのブロック図である。
【図２】本発明の実施の形態におけるバッテリの充電システムの変形例を示すブロック図である。
【符号の説明】
【００４５】
１，７  携帯電話装置
２  充電装置
３，８  管理サーバ
４  ウェブサーバ
５，６  二次元コード
１０  コード入力手段
１１  アクセス手段
１２  メール送信手段
２０  充電制御手段
２１  パスワード入力手段
３０  パスワード発行手段
３１  メール返信手段
４０  サービス情報提供手段
【図１】
2007114968.tif 000003
【図２】
2007114968.tif 000004